(57)【要約】【課題】      従来の消臭除菌機は価格に見合う脱臭除菌の効果が少なく不満の声があった。これは高電圧放電量が適正でなかったり、放電時に生ずるマイナスイオン、及びオゾンのみである為である。【解決手段】    高電圧放電で生ずるマイナスイオンとオゾン量が適正に生ずる様、高電圧を４５００ボルト以上に設定し、静電気帯を保持出来、しかも脱臭除菌機能を有する素材をユニット化、これと併用で活用し、強制的に空気を吸引、排出する構成とする事で、これにより排出される風はクリ−ン化した空気が得られる。【選択図】図１
2010207546.tif 000002
【特許請求の範囲】
【請求項１】
瞬時にて汚染空気を分解し脱臭除菌する為に、静電気帯を吸着、保持させるユニット素材はアクリル酸をグラフト重合法にて有機導電性繊維を製作し、これを多機能商品に加工し脱臭除菌用ユニットとして単体構成、または他の物質と複合でユニットを構成する脱臭除菌機。
【発明の詳細な説明】
【技術分野】
【０００１】本発明は、一般家庭用の消臭除菌の高効率を図った脱臭除菌機に関する
【背景技術】
【０００２】従来の家庭用の脱臭除菌機は単なる高電圧放電等による物などがある。【０００３】以下図２で従来の脱臭除菌機について説明する。図において高電圧発生部１と放電部２、受電部３で構成されている。
【発明の概要】
【発明が解決しょうとする課題】
【０００４】以上に述べた従来の脱臭除菌機では効果が利用者にとって満足出来ない一つとなっていた。
【０００５】本発明はこのような従来の構成が有していた問題を解決しようとするものであり、排出される空気は効果的に脱臭除菌される機器を実現する事を目的とするものである。
【課題を解決する為の手段】
【０００６】そして本発明は上記目的を達成する為に、集塵用フィルタ−、ファンモ−タ及び、高電圧放電部とファンモ−タ部の間に消臭除菌用素材のユニットを配設したことである。
【０００７】また第二の課題解決手段はこの消臭除菌用ユニットには静電気を保持ができ、なおかつ自ら静電気帯を作り上げる事の出来る素材を採用し、さらに気孔をも設け、ファンモ−タで強制的に空気を通過させる事で、排出される空気は消臭除菌の効果されたきれいな空気に変わる。
【発明の効果】
【０００８】上述したように本発明の脱臭除菌機は、すでに存在する一般の消臭除菌素材を採用し、気孔を強制的に通過する際に静電気吸着させる為、効率よく消臭除菌素材に触れる事が出来、触れた空気は消臭除菌が済んだクリ−ンな空気となって排出される効率の高い機器である。
【０００９】本発明の効果を表１、表２にしめす。
【表１】
2010207546.tif 000003
【表２】
2010207546.tif 000004
【図面の簡単な説明】
【００１０】
【図１】本発明の実施形態をしめす脱臭除菌機の構成断面図
【図２】同機付属の素材ユニットの断面図
【図３】従来の脱臭除菌機の構成図
【発明を実施する為の形態】
【００１１】以下本発明の実施形態を図１〜図２に基づいて説明する。
【００１２】１においては空気を吸引スルファンモ−タ、高電圧放電部２、受電部３はケ−シングの本体内部に構成され、高圧トランス５から２、３に接続されている、消臭除菌ユニットは２、３と１のあいだにケ−シングに支持配置されている。
【００１３】４は吸気口の集塵用フィルタ−タでケ−シングに取り外し可能な形態で固定される。
【００１４】６は本発明の静電気帯として保持可能な素材で構成された消臭除菌ユニットで２、３と１の間に空気漏れの無い状態でケ−シングの内部に取り外しの出来る状態に固定される。
【００１５】また６の構成は、有機導電性繊維の多機能品に加工した物をケ−シングに収納される。
【００１６】以下上記構成の動作を説明する。
ファンモ−タ１の回転と同時にに吸気口から集塵用フィルタ−を通して汚染空気が入り込み同時に高電圧の放電、その際、静電気が発生し消臭除菌ユニットの素材に着電する、空気は強制的に送り出され素材の気孔を抜ける際、瞬時に汚染空気を分解の効果が発揮され清潔な空気が排出される。
【符号の説明】
【００１７】  １    ファンモ−タ
２    高電圧放電部
３    受電部
４    集塵用フィルタ−
５    高電圧発生用トランス部
６    静電気保持用消臭除菌ユニット
７    吸気口
８    排気口
９    ユニット用ケ−シング
１０    有機導電性繊維
１１    リブ
【図１】
2010207546.tif 000005
【図２】
2010207546.tif 000006
【図３】
2010207546.tif 000007
【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
瞬時にて汚染空気を分解し脱臭除菌する為に、静電気を帯びた空気を利用して静電気帯を作り上げ、アクリル酸をグラフト重合法にて糸状の繊維を製作し有機導電性の布、又は多機能商品に加工し、脱臭除菌用ユニット作り、このユニットを静電気帯中に保持固定し効率よく消臭、除菌する脱臭除菌機。
【手続補正２】
【補正対象書類名】明細書
【補正対象項目名】全文
【補正方法】変更
【補正の内容】
【発明の詳細な説明】
【技術分野】
【０００１】本発明は、一般家庭用の消臭除菌の高効率を図った脱臭除菌機に関する
【背景技術】
【０００２】従来の家庭用の脱臭除菌機は単なる高電圧放電等による物などがある。【０００３】以下図２で従来の脱臭除菌機について説明する。図において高電圧発生部１と放電部２、受電部３で構成されている。
【発明の概要】
【発明が解決しょうとする課題】
【０００４】以上に述べた従来の脱臭除菌機では効果が利用者にとって満足出来ない一つとなっていた。
【０００５】本発明はこのような従来の構成が有していた問題を解決しようとするものであり、排出される空気は効果的に脱臭除菌される機器を実現する事を目的とするものである。
【課題を解決する為の手段】
【０００６】そして本発明は上記目的を達成する為に、集塵用フィルタ−、ファンモ−タ高電圧放電部とファンモ−タ部の間に消臭除菌用素材のユニットを配設したことである
【０００７】また第二の課題解決手段はこの消臭除菌用ユニットには静電気を保持ができ、なおかつ自ら静電気帯を作り上げる事の出来る素材を採用し、さらに気孔をも設け、ファンモ−タで強制的に空気を通過させる事で、排出される空気は消臭除菌の効果されたきれいな空気に変わる。
【発明の効果】
【０００８】上述したように本発明の脱臭除菌機は、すでに存在する一般の消臭除菌素材を採用し、気孔を強制的に通過する際に静電気吸着させる為、効率よく消臭除菌素材に触れる事が出来、触れた空気は消臭除菌が済んだクリ−ンな空気となつて排出される効率の高い機器である。
【０００９】本発明の効果を表１、表２にしめす。
【表１】
2010207546.tif 000008
【表２】
2010207546.tif 000009
【図面の簡単な説明】
【００１０】
【図１】本発明の実施形態をしめす脱臭除菌機の構成断面図
【図２】同機付属の素材ユニットの断面図
【図３】従来の脱臭除菌機の構成図
【発明を実施する為の形態】
【００１１】以下本発明の実施形態を図１〜図２に基づいて説明する。
【００１２】１においては空気を吸引スルファンモ−タ、高電圧放電部２、受電部３はケ−スの本体内部に構成され、高圧トランス５から２、３に接続されている、消臭除菌ユニットはケ−スに支持配置されている。
【００１３】４は吸気口の集塵用フィルタ−タでケ−ス取り外し可能な形態で固定される。
【００１４】６は本発明の静電気帯として保持可能な素材で構成された消臭除菌ユニットで空気室イと空気室ロとの間に空気漏れの無い状態でケ−スの内部に取り外しの出来る状態に固定される。
【００１５】また６の構成は、有機導電性繊維の多機能品に加工した物をケ−スに収納される。
【００１６】以下上記構成の動作を説明する。
ファンモ−タ１の回転と同時に吸気口から集塵用フィルタ−を通して汚染空気が入り込み同時に高電圧の放電、その際、静電気が発生し消臭除菌ユニットの素材に着電する、空気は強制的に送り出され素材の気孔を抜ける際、瞬時に汚染空気を分解の効果が発揮され清潔な空気が排出される。
【符号の説明】
【００１７】  １    ファンモ−タ
２    高電圧放電部
３    受電部
４    集塵用フィルタ−
５    高電圧発生用トランス部
６    静電気保持用消臭除菌ユニット
７    吸気口
８    排気口
９    ユニット用ケ−シング
１０    有機導電性繊維
１１    リブ
１２    ケ−ス
【手続補正３】
【補正対象書類名】図面
【補正対象項目名】全図
【補正方法】変更
【補正の内容】
【図１】
2010207546.tif 000010
【図２】
2010207546.tif 000011
【図３】
2010207546.tif 000012